(57)【特許請求の範囲】
【請求項１】
下部に配置される押し葉を透かして見ることができる薄手の和紙と、この和紙の裏面を覆うように固定された粘着剤の浸透を阻止できる微小透孔が全面に形成された薄手の透明あるいは半透明材製の合成樹脂シートと、この合成樹脂シートを覆うように塗布された該合成樹脂シートの微小透孔よりも大径の粒子の粘着剤あるいは粒子が連結した粘着剤で形成された粘着剤層と、この粘着剤層を覆う薄手の剥離紙とからなることを特徴とする押し葉用シート。
【発明の詳細な説明】
【０００１】
【発明の属する技術分野】
本発明は葉書、封筒、便箋、障子や各種の物品等に押し葉をワンポイント状態に取付けることができる押し葉用シートに関する。
【０００２】
【従来の技術】
従来、葉書等に押し葉をワンポイント状態で取付ける場合、葉書等に押し葉を接着剤で固定するとともに、この固定された押し葉を覆うように接着剤を用いて和紙を葉書等に固定している。
【０００３】
【発明が解決しようとする課題】
従来の方法では和紙に接着剤を塗布して使用するため、その作業が大変で、手数がかかるとともに、透かしてよく見える薄手の和紙では接着剤の塗布作業がさらに大変となるため、使用しづらいという欠点がある。
また、和紙に接着剤を塗布するため、長時間たつと接着剤によって和紙が汚れて見苦しくなるという欠点があった。
【０００４】
本発明は以上のような従来の欠点に鑑み、押し葉を覆うように透かしてよく見える薄手の和紙を取付ける作業が容易にきれいに行なうことができるとともに、ハサミを用いなくてもちぎって気軽に使用でき、かつ粘着剤によって和紙が汚れたりするのを効率よく阻止することができる押し葉用シートを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は下部に配置される押し葉を透かして見ることができる薄手の和紙と、この和紙の裏面を覆うように固定された粘着剤の浸透を阻止できる微小透孔が全面に形成された薄手の透明あるいは半透明材製の合成樹脂シートと、この合成樹脂シートを覆うように塗布された該合成樹脂シートの微小透孔よりも大径の粒子の粘着剤あるいは粒子が連結した粘着剤で形成された粘着剤層と、この粘着剤層を覆う薄手の剥離紙とで押し葉用シートを構成している。
【０００７】
【発明の実施の形態】
以下、図面に示す実施の形態により、本発明を詳細に説明する。
【０００８】
図１ないし図１１に示す本発明の第１の実施の形態において、１は使用時に好みの大きさに手でちぎって使用することができる本発明の押し葉用シートで、この押し葉用シート１は下部に配置される押し葉を透かして見ることができる薄手の和紙２と、この和紙２の裏面を覆うように溶着剤によって固定された粘着剤の浸透を阻止できる微小透孔３が全面に形成された薄手で好ましくは伸縮性のない透明あるいは半透明材製の合成樹脂シート４と、この合成樹脂シート４を覆うように塗布された該合成樹脂シート４の微小透孔３よりも大径の粒子の粘着剤あるいは粒子が連結した粘着剤、例えばアクリル酸エステルと溶剤系樹脂を用いた粘着剤で形成された粘着剤層５と、この粘着剤層５を覆う薄手の剥離紙６とで構成されている。
【０００９】
上記構成の押し葉用シート１は、図３に示すように葉書７の上に押し葉８を配置し、この押し葉８を覆うことができる大きさに図４に示すように手で押し葉用シート１をちぎり、ちぎった押し葉用シート１ａの剥離紙６を図５に示すように除去した後、押し葉８を覆うように図６に示すように押し葉用シート１ａを葉書７に粘着剤層５により粘着固定する。この時、押し葉用シート１ａにしわが生じないように周囲に押し付けて固定する。
しかる後、必要に応じて図７に示すように、和紙２に花レジン９を塗布して、和紙２の透明性を高めてもよい。
【００１０】
また、図８および図９に示すように障子１０の障子紙１１に前述と同様に押し葉８を押し葉用シート１ａで取付けてもよい。
【００１１】
さらに、図１０および図１１に示すように、ろうそく１２の外周部に前述と同様に押し葉８を押し葉用シート１ａで取付けた後、該押し葉用シート１ａおよびその周囲を焼きごて１３等でなぞることにより、押し葉用シート１ａの和紙２にろうが付着し、透明性を高めることができる。
【００１２】
【発明の異なる実施の形態】
次に、図１２ないし図１９に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図１２および図１３に示す本発明の第２の実施の形態において、前記本発明の第１の実施の形態と主に異なる点は、和紙２の裏面に透明あるいは半透明の合成樹脂材を塗布して薄手の合成樹脂層１４を形成した点で、このように構成した押し葉用シート１Ａにしても、前記本発明の第１の実施の形態と同様な作用効果が得られる。
【００１４】
図１４および図１５に示す本発明の第３の実施の形態において、前記本発明の第１の実施の形態と主に異なる点は、和紙２の裏面に透明あるいは半透明のオブラート１５を固定した点で、このように構成した押し葉用シート１Ｂにしても、前記本発明の第１の実施の形態と同様な作用効果が得られる。
【００１５】
図１６および図１７に示す本発明の第４の実施の形態において、前記本発明の第１の実施の形態と主に異なる点は、和紙の裏面に澱粉等を用いた糊を塗布して薄手の澱粉層１６を形成した点で、このように構成した押し葉用シート１Ｃにしても、前記本発明の第１の実施の形態と同様な作用効果が得られる。
【００１６】
図１８および図１９に示す本発明の第５の実施の形態において、前記本発明の第１の実施の形態と主に異なる点は、和紙２の裏面を覆うように固定された網状あるいは微小透孔が全面に形成された薄手の透明あるいは半透明材製の合成樹脂シート４Ａと、この合成樹脂シート４Ａを覆うように固定されたシート状の粘着剤で形成された粘着剤層５Ａとを用いた点で、このように構成した押し葉用シート１Ｄにしても、前記本発明の第１の実施の形態と同様な作用効果が得られる。
【００１７】
【発明の効果】
以上の説明から明らかなように、本発明にあっては次に列挙する効果が得られる。
【００１８】
（１）下部に配置される押し葉を透かして見ることができる薄手の和紙と、この和紙の裏面を覆うように固定された粘着剤の浸透を阻止できる微小透孔が全面に形成された薄手の透明あるいは半透明材製の合成樹脂シートと、この合成樹脂シートを覆うように塗布された該合成樹脂シートの微小透孔よりも大径の粒子の粘着剤あるいは粒子が連結した粘着剤で形成された粘着剤層と、この粘着剤層を覆う薄手の剥離紙とで構成されているので、押し葉を覆う大きさに簡単に手でちぎって使用することができる。
したがって、気軽に使用することができるとともに、周囲を手でちぎっているため、周囲を違和感なく葉書等に固定させることができる。
【００１９】
（２）前記（１）によって、手でちぎった後、剥離紙を除去するだけで葉書、封筒、便箋、障子や各種の物品に押し葉を覆うように粘着剤で固定することができる。
したがって、ワンポイント状態で押し葉を取付けることができる。
【００２０】
（３）前記（１）によって、合成樹脂シートによって粘着剤層の粘着剤が和紙へ浸透するのを防止することができる。
したがって、和紙が粘着剤で汚れたりするのを確実に防止でき、長期間きれいな状態を保つことができる。
【図面の簡単な説明】
【図１】本発明の第１の実施の形態の説明図。
【図２】図１の２−２線に沿う拡大断面図。
【図３】本発明の第１の実施の形態の葉書に押し葉を配置した説明図。
【図４】本発明の第１の実施の形態の押し葉用シートをちぎった状態の説明図。
【図５】本発明の第１の実施の形態の剥離紙を除去する状態の説明図。
【図６】本発明の第１の実施の形態の押し葉用シート取付け状態の説明図。
【図７】本発明の第１の実施の形態の花レジンの塗布状態の説明図。
【図８】本発明の第１の実施の形態の障子に取付けた状態の説明図。
【図９】図８の要部拡大図。
【図１０】本発明の第１の実施の形態のろうそくに取付けた状態の説明図。
【図１１】本発明の第１の実施の形態の焼きごてで処理する状態の説明図。
【図１２】本発明の第２の実施の形態の説明図。
【図１３】図１２の１３−１３線に沿う拡大断面図。
【図１４】本発明の第３の実施の形態の説明図。
【図１５】図１４の１５−１５線に沿う拡大断面図。
【図１６】本発明の第４の実施の形態の説明図。
【図１７】図１６の１７−１７線に沿う拡大断面図。
【図１８】本発明の第５の実施の形態の説明図。
【図１９】図１８の１９−１９線に沿う拡大断面図。
【符号の説明】
１、１Ａ、１Ｂ、１Ｃ、１Ｄ：押し葉用シート、
２：和紙、
３：微小透孔、
４、４Ａ：合成樹脂シート、５、５Ａ：粘着剤層、
６：剥離紙、
７：葉書、
８：押し葉、
９：花レジン、
１０：障子、
１１：障子紙、
１２：ろうそく、          １３：焼きごて、
１４：合成樹脂層、        １５：オブラート、
１６：澱粉層。
【図１】
0004104205.tif 000002
【図２】
0004104205.tif 000003
【図３】
0004104205.tif 000004
【図４】
0004104205.tif 000005
【図５】
0004104205.tif 000006
【図６】
0004104205.tif 000007
【図７】
0004104205.tif 000008
【図８】
0004104205.tif 000009
【図９】
0004104205.tif 000010
【図１０】
0004104205.tif 000011
【図１１】
0004104205.tif 000012
【図１２】
0004104205.tif 000013
【図１３】
0004104205.tif 000014
【図１４】
0004104205.tif 000015
【図１５】
0004104205.tif 000016
【図１６】
0004104205.tif 000017
【図１７】
0004104205.tif 000018
【図１８】
0004104205.tif 000019
【図１９】
0004104205.tif 000020